(57)【要約】【課題】  携帯電話などの携帯端末が持ち主に気がつかれない状況下で落下した場合、接触程度の衝撃とは区別して持ち主が落下状況を容易に認知できるようにすることを課題とする。【解決手段】  記憶部３０７に衝撃パターンテーブル３４と音情報３３を記憶しておき、衝撃センサ３１および制御部３０３により衝撃を衝撃パターンに変換し、その検出された衝撃パターンと記憶部３０７に記憶された衝撃パターンとを比較して、合致が確認された場合、記憶部３０７に記憶された音情報に基づいて音をスピーカ３０９より報知する。【選択図】  図３
2005244892.tif 000002
【特許請求の範囲】
【請求項１】
携帯端末であって、
衝撃を衝撃パターンに変換する衝撃検出手段と、
少なくとも一種類の衝撃パターンを記憶する衝撃パターン記憶手段と、
音情報を記憶する音情報記憶手段と、
前記衝撃検出手段で検出された衝撃パターンと前記衝撃パターン記憶手段に記憶された衝撃パターンとを比較する比較手段と、
前記比較手段で衝撃パターンの合致が確認された場合、前記音情報記憶手段に記憶された音情報に基づいて音を報知する報知手段と、
を備えたことを特徴とする携帯端末。
【請求項２】
携帯端末であって、
衝撃を衝撃パターンに変換する衝撃検出手段と、
複数種類の衝撃パターンを記憶する衝撃パターン記憶手段と、
音情報を記憶する音情報記憶手段と、
前記衝撃検出手段で検出された衝撃パターンと前記衝撃パターン記憶手段に記憶された各衝撃パターンとを比較する比較手段と、
前記比較手段で衝撃パターンの合致が確認された場合、前記音情報記憶手段に記憶された音情報に基づいて音を報知する報知手段と、
を備えたことを特徴とする携帯端末。
【請求項３】
前記報知手段は、オン／オフ設定可能であり、オフ設定されていても前記比較手段で衝撃パターンの合致が確認された場合には前記音情報記憶手段に記憶された音情報に基づいて音を報知することを特徴とする請求項１または２に記載の携帯端末。
【請求項４】
前記報知手段は、前記比較手段で衝撃パターンの合致が確認された場合に前記音情報記憶手段であらかじめ決めえられた音情報に基づいて音を報知することを特徴とする請求項３に記載の携帯端末。
【請求項５】
前記音情報は、音楽、音声などの情報であることを特徴とする請求項１〜４のいずれか１つに記載の携帯端末。
【請求項６】
さらに、電源オン／オフを制御する電源制御手段を有しており、前記電源制御手段は電源オフ時にも前記衝撃検出手段に対して電源を供給しており、前記衝撃検出手段は衝撃検出時に前記電源制御手段に対して電源オンに切り替えるための信号を送出することを特徴とする請求項１〜５のいずれか１つに記載の携帯端末。
【請求項７】
携帯端末のコンピュータにより実行可能な音報知プログラムであって、
前記コンピュータに、
衝撃検出手段から衝撃の衝撃パターンを入力する第１ステップと、
少なくとも一種類の衝撃パターンと音情報をそれぞれメモリに記憶しており、前記第１ステップで入力された衝撃パターンと前記メモリに記憶された衝撃パターンとを比較する第２ステップと、
前記第２ステップで衝撃パターンの合致が確認された場合、前記メモリに記憶された音情報に基づいて音の報知手段を駆動する第３ステップと、
を実行させることを特徴とする携帯端末の音報知プログラム。
【請求項８】
携帯端末のコンピュータにより実行可能な音報知プログラムであって、
前記コンピュータに、
衝撃検出手段から衝撃の衝撃パターンを入力する第１ステップと、
複数種類の衝撃パターンと音情報をそれぞれメモリに記憶しており、前記第１ステップで入力された衝撃パターンと前記メモリに記憶された各衝撃パターンとを比較する第２ステップと、
前記第２ステップで衝撃パターンの合致が確認された場合、前記メモリに記憶された音情報に基づいて音の報知手段を駆動する第３ステップと、
を実行させることを特徴とする携帯端末の音報知プログラム。
【請求項９】
前記報知手段はオン／オフ設定可能であり、前記報知手段がオフ設定されていても前記第２ステップで衝撃パターンの合致が確認された場合には前記メモリに記憶された音情報に基づいて前記報知手段を駆動することを特徴とする請求項７または８に記載の携帯端末の音報知プログラム。
【請求項１０】
前記第３ステップは、前記第２ステップで衝撃パターンの合致が確認された場合に前記メモリであらかじめ決めえられた音情報に基づいて前記報知手段を駆動することを特徴とする請求項８、９または１０に記載の携帯端末の音報知プログラム。
【請求項１１】
前記音情報は、音楽、音声などの情報であることを特徴とする請求項８〜１０のいずれか１つに記載の携帯端末の音報知プログラム。
【請求項１２】
携帯端末の音報知方法であって、
衝撃検出手段から衝撃の衝撃パターンを入力する第１ステップと、
少なくとも一種類の衝撃パターンと音情報をそれぞれメモリに記憶しており、前記第１ステップで入力された衝撃パターンと前記メモリに記憶された衝撃パターンとを比較する第２ステップと、
前記第２ステップで衝撃パターンの合致が確認された場合、前記メモリに記憶された音情報に基づいて音の報知手段を駆動する第３ステップと、
を含んだことを特徴とする携帯端末の音報知方法。
【請求項１３】
携帯端末の音報知方法であって、
衝撃検出手段から衝撃の衝撃パターンを入力する第１ステップと、
複数種類の衝撃パターンと音情報をそれぞれメモリに記憶しており、前記第１ステップで入力された衝撃パターンと前記メモリに記憶された各衝撃パターンとを比較する第２ステップと、
前記第２ステップで衝撃パターンの合致が確認された場合、前記メモリに記憶された音情報に基づいて音の報知手段を駆動する第３ステップと、
を含んだことを特徴とする携帯端末の音報知方法。
【請求項１４】
前記報知手段はオン／オフ設定可能であり、前記報知手段がオフ設定されていても前記第２ステップで衝撃パターンの合致が確認された場合には前記メモリに記憶された音情報に基づいて前記報知手段を駆動することを特徴とする請求項１２または１３に記載の携帯端末の音報知方法。
【請求項１５】
前記第３ステップは、前記第２ステップで衝撃パターンの合致が確認された場合に前記メモリであらかじめ決めえられた音情報に基づいて前記報知手段を駆動することを特徴とする請求項１２、１３または１４に記載の携帯端末の音報知方法。
【請求項１６】
前記音情報は、音楽、音声などの情報であることを特徴とする請求項１２〜１５のいずれか１つに記載の携帯端末の音報知方法。
【発明の詳細な説明】
【技術分野】
【０００１】
本発明は、たとえば、携帯端末、携帯端末の音報知プログラムおよび携帯端末の音報知方法に関するものである。
【背景技術】
【０００２】
携帯電話の普及に伴い、機能として、単に通話を楽しむだけのツールではなく、メール交換を行ったり、インターネットの閲覧を行う新たな機能が備わっている。携帯電話のメモリには、知人などの住所録やメモが記憶されており、セキュリティ面の機能も充実している。
【０００３】
このように、セキュリティ免の充実を図ってはいるものの携帯電話を紛失することは、本人だけの情報に限らず知人などの情報も漏洩される危惧があり、携帯の仕方にも各種の工夫が施されている。
【０００４】
その一例として、持ち主がバッグに収容したり、ベルトに装着したり、ストラップに取り付けるなどして携帯電話を携帯することが一般的である。今日、携帯電話に衝撃センサを設け、落下を検出することにより鳴音器からメロディなどで報知する技術が提案されている（特許文献１）。
【特許文献１】特開平１１−２９６７６５号
【発明の開示】
【発明が解決しようとする課題】
【０００５】
携帯電話においては、携帯電話は、携帯時、常に衝撃を伴うことになる。この場合、落下のときは問題ないが、落下以外の衝撃に伴ってメロディが報知されると、持ち主が着信があったものと誤解してしまうような危惧があった。
【０００６】
本発明の目的は、携帯電話などの携帯端末が持ち主に気がつかれない状況下で落下した場合、接触程度の衝撃とは区別して持ち主が落下状況を容易に認知可能な携帯端末、携帯端末の音報知プログラムおよび携帯端末の音報知方法を提供する点にある。
【課題を解決するための手段】
【０００７】
上述した課題を解決し、上記目的を達成するため、請求項１の発明に係る携帯端末は、携帯端末であって、衝撃を衝撃パターンに変換する衝撃検出手段と、少なくとも一種類の衝撃パターンを記憶する衝撃パターン記憶手段と、音情報を記憶する音情報記憶手段と、前記衝撃検出手段で検出された衝撃パターンと前記衝撃パターン記憶手段に記憶された衝撃パターンとを比較する比較手段と、  前記比較手段で衝撃パターンの合致が確認された場合、前記音情報記憶手段に記憶された音情報に基づいて音を報知する報知手段と、を備えたことを特徴とするものである。
【０００８】
また、請求項２の発明に係る携帯端末は、携帯端末であって、衝撃を衝撃パターンに変換する衝撃検出手段と、複数種類の衝撃パターンを記憶する衝撃パターン記憶手段と、音情報を記憶する音情報記憶手段と、前記衝撃検出手段で検出された衝撃パターンと前記衝撃パターン記憶手段に記憶された各衝撃パターンとを比較する比較手段と、前記比較手段で衝撃パターンの合致が確認された場合、前記音情報記憶手段に記憶された音情報に基づいて音を報知する報知手段と、を備えたことを特徴とするものである。
【０００９】
請求項３の発明は、請求項１または２において、前記報知手段は、オン／オフ設定可能であり、オフ設定されていても前記比較手段で衝撃パターンの合致が確認された場合には前記音情報記憶手段に記憶された音情報に基づいて音を報知するようにしてもよい。
【００１０】
請求項４の発明は、請求項３において、前記報知手段は、前記比較手段で衝撃パターンの合致が確認された場合に前記音情報記憶手段であらかじめ決めえられた音情報に基づいて音を報知するようにしてもよい。
【００１１】
請求項５の発明は、請求項１〜４のいずれか１つにおいて、前記音情報は、音楽、音声などの情報であってもよい。
【００１２】
請求項６の発明は、請求項１〜５のいずれか１つにおいて、さらに、電源オン／オフを制御する電源制御手段を有しており、前記電源制御手段は電源オフ時にも前記衝撃検出手段に対して電源を供給しており、前記衝撃検出手段は衝撃検出時に前記電源制御手段に対して電源オンに切り替えるための信号を送出するようにしてもよい。
【００１３】
また、請求項７の発明に係る携帯端末の音報知プログラムは、携帯端末のコンピュータにより実行可能な音報知プログラムであって、前記コンピュータに、衝撃検出手段から衝撃の衝撃パターンを入力する第１ステップと、少なくとも一種類の衝撃パターンと音情報をそれぞれメモリに記憶しており、前記第１ステップで入力された衝撃パターンと前記メモリに記憶された衝撃パターンとを比較する第２ステップと、前記第２ステップで衝撃パターンの合致が確認された場合、前記メモリに記憶された音情報に基づいて音の報知手段を駆動する第３ステップと、を実行させることを特徴とするものである。
【００１４】
請求項８の発明に係る携帯端末の音報知プログラムは、携帯端末のコンピュータにより実行可能な音報知プログラムであって、前記コンピュータに、衝撃検出手段から衝撃の衝撃パターンを入力する第１ステップと、複数種類の衝撃パターンと音情報をそれぞれメモリに記憶しており、前記第１ステップで入力された衝撃パターンと前記メモリに記憶された各衝撃パターンとを比較する第２ステップと、前記第２ステップで衝撃パターンの合致が確認された場合、前記メモリに記憶された音情報に基づいて音の報知手段を駆動する第３ステップと、を実行させることを特徴とするものである。
【００１５】
請求項９の発明は、請求項７または８において、前記報知手段はオン／オフ設定可能であり、前記報知手段がオフ設定されていても前記第２ステップで衝撃パターンの合致が確認された場合には前記メモリに記憶された音情報に基づいて前記報知手段を駆動するようにしてもよい。
【００１６】
請求項１０の発明は、請求項８、９または１０において、前記第３ステップは、前記第２ステップで衝撃パターンの合致が確認された場合に前記メモリであらかじめ決めえられた音情報に基づいて前記報知手段を駆動するようにしてもよい。
【００１７】
請求項１１の発明は、請求項８〜１０のいずれか１つにおいて、前記音情報は、音楽、音声などの情報であってもよい。
【００１８】
請求項１２の発明に係る携帯端末の音報知方法は、携帯端末の音報知方法であって、衝撃検出手段から衝撃の衝撃パターンを入力する第１ステップと、少なくとも一種類の衝撃パターンと音情報をそれぞれメモリに記憶しており、前記第１ステップで入力された衝撃パターンと前記メモリに記憶された衝撃パターンとを比較する第２ステップと、前記第２ステップで衝撃パターンの合致が確認された場合、前記メモリに記憶された音情報に基づいて音の報知手段を駆動する第３ステップと、を含んだことを特徴とするものである。
【００１９】
請求項１３の発明に係る携帯端末の音報知方法は、携帯端末の音報知方法であって、衝撃検出手段から衝撃の衝撃パターンを入力する第１ステップと、複数種類の衝撃パターンと音情報をそれぞれメモリに記憶しており、前記第１ステップで入力された衝撃パターンと前記メモリに記憶された各衝撃パターンとを比較する第２ステップと、前記第２ステップで衝撃パターンの合致が確認された場合、前記メモリに記憶された音情報に基づいて音の報知手段を駆動する第３ステップと、を含んだことを特徴とするものである。
【００２０】
請求項１４の発明は、請求項１２または１３において、前記報知手段はオン／オフ設定可能であり、前記報知手段がオフ設定されていても前記第２ステップで衝撃パターンの合致が確認された場合には前記メモリに記憶された音情報に基づいて前記報知手段を駆動するようにしてもよい。
【００２１】
請求項１５の発明は、請求項１２、１３または１４において、前記第３ステップは、前記第２ステップで衝撃パターンの合致が確認された場合に前記メモリであらかじめ決めえられた音情報に基づいて前記報知手段を駆動するようにしてもよい。
【００２２】
請求項１６の発明は、請求項１２〜１５のいずれか１つにおいて、前記音情報は、音楽、音声などの情報であってもよい。
【発明の効果】
【００２３】
本発明によれば、携帯電話などの携帯端末が持ち主に気がつかれない状況下で落下した場合、接触程度の衝撃とは区別して持ち主が落下状況を容易に認知可能な携帯端末、携帯端末の音報知プログラムおよび携帯端末の音報知方法を提供できるという効果を奏する。
【発明を実施するための最良の形態】
【００２４】
以下、添付図面を参照して本発明に係る一実施の形態を詳述する。
【００２５】
本実施の形態では、携帯電話などの携帯端末に携帯電話網およびインターネットを介してサーバから音報知アプリケーション（以下、音報知アプリという）をダウンロードすることで、持ち主が感知しないまま携帯端末を落とした際に音報知端末として音楽、音声などの音を使って報知するための一例を示している。
【００２６】
まず全体構成について説明する。図１は本発明の一実施の形態に係るシステムを概略的に説明する概略構成図である。このシステムは、たとえば図１に示したように、携帯端末（一例として携帯電話３）とサーバ１とを携帯電話網４およびインターネット５間で通信可能にしたものである。携帯電話網４は、図示せぬ基地局に接続され、パケット処理を司るパケット網４１と、インターネット５に接続され、当該インターネット５に接続される各種端末との通信を司るゲートウェイサーバ４２とを備え、携帯端末側からインターネット５への通信接続を可能にする構成である。
【００２７】
携帯電話３は、図１に示したように、衝撃線センサ３１、音報知アプリ３２、音情報３３、スピーカ３４などを備えている。携帯電話３は、たとえば、ＨＴＴＰ（Hyper Text Transfer Protocol）によりウェブ閲覧を可能にするウェブブラウザ（図示せぬ）を具備しており、このウェブブラウザによりインターネット５の各サイトにアクセスして音報知アプリ３２のダウンロードやウェブ閲覧などのサービスを享受可能である。
【００２８】
携帯電話３は、衝撃センサ３１を具備しており、この衝撃センサ３１により接触程度の衝撃なのかそれとも落下による衝撃なのかを判断するための衝撃検出信号を出力する。この衝撃センサ３１は、所定の衝撃閾値を越えたときにのみ衝撃検出信号を出力するのではなく、衝撃を検知してからの波形をデジタル化して衝撃検出信号として出力する。
【００２９】
携帯電話３は、音報知アプリ３２を起動させておき、この音報知アプリ３２により衝撃センサ３１から出力された衝撃検出信号に基づいて落下の有無を判断する。この音報知アプリ３２は、衝撃検出信号に基づく衝撃パターンとあらかじめ登録しておいた落下時の衝撃パターンとを照合して合致した際に、音情報３３のうちであらかじめ決めておいた落下時の音（音楽、音声など）をスピーカ３４から出力する。
【００３０】
この携帯電話３では、衝撃パターンから落下の有無を判断するようにしたので、接触程度の衝撃でたびたび音を報知させる処理が不要となり、また着信メロディなどのように着信時に鳴らして意味のある音と勘違いさせることを極力防止することが可能である。すなわち、着信メロディが落下していないのに音が再生されると、携帯電話３の持ち主はその度に電話やメールの着信と勘違いするので、その防止に役立つものである。
【００３１】
サーバ１は、データベース２を接続させ、インターネット５を介して他の端末と通信を行うとともに、携帯電話網４およびインターネット５を介して携帯端末からのアクセスに応じてデータベース２に格納している音報知アプリや音情報をダウンロードさせる処理をプログラムによって全体的に制御する。
【００３２】
データベース２は、サーバ１に接続された大規模記憶装置であり、ダウンロード用の音放置アプリ、音情報２１、落下に関する衝撃パターンをテーブル化した衝撃パターンテーブル２２などを記憶するとともにサーバ１の制御下で当該サーバ１に対して提供するものである。
【００３３】
つぎに、サーバ１、携帯電話３について詳述する。図２は本実施の形態によるサーバ１の一内部構成例を示すブロック図であり、図３は本実施の形態による携帯電話３の一内部構成例を示すブロック図である。
【００３４】
サーバ１は、たとえば図２に示したように、インターネット５に接続され、このインターネット５を介して携帯端末などの他の機器との間の双方向通信を司る通信制御部１０１、ＣＰＵ、ＲＯＭ、ＲＡＭなどを備え、サーバ全体の制御を司る制御部１０２、他の端末に対してウェブブラウザ表示を提供したり、サーバ自体の
処理を行うプログラム１１、各種パラメータなどを記憶する記憶部１０３、データベース２に接続され、データベース２との間でデータ授受を行うデータベースインタフェース１０５などのユニットを備え、各ユニットを内部のバスライン１０６に接続させてデータ、アドレス信号、制御信号などを伝送可能としている。
【００３５】
携帯電話３は、たとえば図３に示したように、アンテナ３０１を接続させた通信制御部３０２、制御部３０３、操作部３０４、衝撃センサ３１、表示部３０６、記憶部３０７、音声／サウンド制御部３０８などのユニットを備え、各ユニットをバスライン３１１に接続させてデータ、アドレス信号、制御信号などを伝送可能としている。
【００３６】
通信制御部３０２は、アンテナ３０１を介して携帯電話網４と無線通信を行う。この通信制御部３０２により、他の電話機能付端末との間で音声通話を実現したり、サーバ１との間でデータ通信を実現することができる。
【００３７】
制御部３０３は、ＣＰＵ、ＲＯＭ、ＲＡＭなどを備え、ＲＯＭや記憶部３０７の各種プログラムに従って携帯電話１１全体の制御を行う。制御部３０３は、ウェブブラウザ（たとえばＪＡＶＡ（登録商標）アプリ）によってウェブ閲覧を制御する。
【００３８】
また、制御部３０３は、音報知アプリケーション３２によって、衝撃センサ３１から出力される衝撃検出信号に基づいて衝撃パターンを生成し、その生成された衝撃パターンと衝撃パターンテーブル３４に含まれる落下時の衝撃パターンとを照合し、落下の有無を判定する。制御部３０３は、落下判定を下した場合には、音報知アプリケーション３２によって音情報３３のうち落下対応の音情報に基づく音を音声／サウンド制御部３０８を通じてスピーカ３０９より出力する。
【００３９】
また、制御部３０３は、操作部３０４の操作入力に応じて各種の処理を実行するとともに各種の処理に応じた表示を制御する。
【００４０】
操作部３０４は、図示せぬが、電話番号や文字を入力するためのダイヤルキー、メインメニューを呼び出したり、選択されている項目を決定するときに使用するセレクトキー、ダイヤルキーやセレクトキーで選択した項目を確定する確定キー、メールを利用するときや文字入力中に記号を入力するときに使用するキーなどを備えている。
【００４１】
表示部３０６は、液晶などのディスプレイを備え、そのディスプレイにたとえばウェブブラウザを表示したり、電話やメールの機能を使うときの操作画面を表示する。
【００４２】
記憶部３０７には、上述したように、ウェブブラウザのほか、衝撃パターンテーブル３１、音報知アプリ３２、音情報３３などを記憶している。
【００４３】
音声／サウンド制御部３０８は、スピーカ３０９やマイク３１０を接続させており、スピーカ３０９に対して音情報３３に含まれる着信メロディ、音声、着うた（（株）ソニー・ミュージックエンタテインメントの登録商標）などのサウンド出力や通話時などの音声出力を制御したり、マイク３１０に対して通話時などの音声入力を制御する。ここでは、スピーカ３０９に対して通話時、着信時、本実施の形態による音報知時のすべてにおいて共通利用するようにしているが、通話時のスピーカを独立させるようにしてもよい。
【００４４】
つぎに、衝撃パターンテーブル３４について図４を用いて説明する。図４は本実施の形態による衝撃パターンを説明する図である。衝撃パターンテーブル３４は、サーバ１よりダウンロードにより保存されるデータである。
【００４５】
この衝撃パターンテーブル３４は、たとえば図４に示したように、衝撃ＩＤに対して衝撃パターンデータを対応付けたものである。衝撃ＩＤは、地面の種類、落下時の高さに応じて異なる衝撃の種類を示す情報である。衝撃パターンデータは、実際に携帯電話をオフィスの床（カーペット）、道路（アスファルト）、学校のグラウンド（土）などの地面に落下させたときの衝撃波形をデジタルパターン化したものである。
【００４６】
たとえば、衝撃ＩＤがＩＤ００１の場合には、オフィスの床（カーペット）に１ｍの高さから落下させた場合の衝撃パターンデータＤＡＴＡ１が対応付けられている。また、衝撃ＩＤがＩＤ００２の場合には、道路（アスファルト）に１ｍの高さから落下させた場合の衝撃パターンデータＤＡＴＡ１を対応付けられている。
【００４７】
つづいて音情報について図５を用いて説明する。図５は本実施の形態による音情報を説明する図である。音情報３３は、サーバ１の音情報２２からダウンロードにより任意に取り込まれるものである。音情報３３においては、たとえば図５に示したように、音情報毎に音情報ＩＤが割り当てられている。
【００４８】
音情報ＩＤには、落下時に再生する音情報に対して再生対象となる落下の衝撃パターンが衝撃ＩＤによって対応付けている。また、各音情報ＩＤには、コンテンツとしてのタイトルとそのデータとが対応付けられている。
【００４９】
図５の例では、タイトル「ＡＢＣマーチ」、「挨拶」、「落ちメロ」、「落ち声」には、それぞれデータＳＤＡＴＡ１、ＳＤＡＴＡ２、ＳＤＡＴＡ３、ＳＤＡＴＡ４が対応付けられている。ここでは、着信メロディについては音情報ＩＤ「Ａ」が付され、音声については音情報ＩＤ「Ｂ」が付されている。
【００５０】
タイトル「落ちメロ」、「落ち声」については、それぞれ衝撃ＩＤのＩＤ００１、ＩＤ００２が対応付けられており、これらは落下時に再生する対象の音情報となる。この場合、タイトル「落ちメロ」は着信メロディの分類すなわち音楽であり、タイトル「落ち声」は着信時の音声の分類すなわち音声である。他のタイトル「ＡＢＣマーチ」、「挨拶」は、それぞれ電話もしくはメールの着信時に再生される着信メロディ、音声である。
【００５１】
つぎに動作について図６および図７を用いて説明する。図６は本実施の形態による音報知に関する動作を説明するフローチャートであり、図７は本実施の形態による変形例の動作を説明するフローチャートである。以下の処理は制御部３０３により実行される。
【００５２】
まず、携帯電話３の音報知アプリがユーザの操作によって起動されると（ステップＳ１１）、以降は衝撃センサ３１からの衝撃検出信号の出力有無が判断される（ステップＳ１２）。
【００５３】
ユーザが携帯電話３を落下させたとき、衝撃センサ３１がそのときの落下に伴う衝撃の信号を衝撃検出信号として出力する。このようにして衝撃センサ３１から衝撃検出信号が出力されたことが確認されると（ステップＳ１２のＹＥＳルート）、その衝撃検出信号が一定期間取り込まれ、一連の衝撃検出信号に基づいて衝撃パターンが生成される（ステップＳ１３）。このようにして生成された衝撃パターンはデータとして図示せぬワークエリアに格納される。
【００５４】
そして、生成された衝撃パターンデータは、衝撃パターンテーブル３４の各衝撃パターンデータと照合され、一致する衝撃パターンがあるかどうか判断される（ステップＳ１５）。ここでの照合は、完全一致を指すものではなく、衝撃パターンの特徴が類似するものがあるかどうか判断される。すなわち、この判断では、一例ではあるが、あらかじめ決めた数の類似点についての合致や落下直後と思われる初期のデータのようにある期間のパターン類似などが適用可能である。もちろん、これら以外の方法でもよいことはいうまでもない。
【００５５】
そして、一致が確認された場合には（ステップＳ１５のＹＥＳルート）、衝撃ＩＤが衝撃ＩＤパターンテーブル３４から取得されるので、その一致パターンの衝撃ＩＤに対応付けられた音情報ＩＤのタイトルおよびデータＳＤＡＴＡが読み出される（ステップＳ１６）。
【００５６】
このようにして読み出されたデータＳＤＡＴＡに基づいて音（着信メロディ、音声など）が再生され、スピーカ３０９から音の報知がなされる（ステップＳ１７）。もちろん、一致が確認されなかった場合には（ステップＳ１５のＮＯルート）、落下の判断が下されなかったものとして処理はステップＳ１２に戻る。
【００５７】
また、マナーモード中においても本実施の形態による音報知が実行可能である。この変形例としては（図７参照）、図６の例で一致パターンの衝撃ＩＤに対応付けられた音情報ＩＤのタイトル、データが読み出されたとき（ステップＳ１６）、設定がマナーモードかどうか判断される（ステップＳ２１）。
【００５８】
マナーモードオフの状態が確認された場合には（ステップＳ２１のＮＯルート）、前述の実施の通り処理はステップＳ１７に移行して報知処理が実行される。一方、マナーモードオンの状態が確認された場合には（ステップＳ２１のＹＥＳルート）、マナーモードの設定が一旦オフにされ（ステップＳ２２）、ステップＳ１７と同様の報知処理が実行される（ステップＳ２３）。そして、マナーモードが復帰（オン）されて（ステップＳ２４）、処理は終了する。
【００５９】
以上説明したように本実施の形態によれば、携帯電話などの携帯端末が持ち主に気がつかれない状況下で落下した場合、接触程度の衝撃とは区別して持ち主が落下状況を容易に認知することが可能となる。
【００６０】
さて、前述の実施の形態では、マナーモード時でも報知処理を優先するように処理していたが、本発明はこれに限定されず、電源オフ時にも衝撃センサ３１には電源を供給させておき、衝撃検出信号の出力時には一旦図６や図７の処理が実行できるように携帯電話３全体に電源を一時的に供給するようにしてもよく、衝撃パターン一致が確認できなかったとき、あるいは、報知後に電源オフに復帰するようにすればよい。
【産業上の利用可能性】
【００６１】
本発明は、携帯端末、携帯端末の音報知プログラムおよび携帯端末の音報知方法を製造する産業で利用される。
【図面の簡単な説明】
【００６２】
【図１】本発明の一実施の形態に係るシステムを概略的に説明する概略構成図である。
【図２】本実施の形態によるサーバ１の一内部構成例を示すブロック図である。
【図３】本実施の形態による携帯電話３の一内部構成例を示すブロック図である。
【図４】本実施の形態による衝撃パターンを説明する図である。
【図５】本実施の形態による音情報を説明する図である。
【図６】本実施の形態による音報知に関する動作を説明するフローチャートである。
【図７】本実施の形態による変形例の動作を説明するフローチャートである。
【符号の説明】
【００６３】
３  携帯電話
３１  衝撃センサ
３２  音報知アプリ
３３  音情報
３４  衝撃パターンテーブル
３０２  通信制御部
３０３  制御部
３０４  操作部
３０７  記憶部
３０８  音声／サウンド制御部
３０９  スピーカ
【図１】
2005244892.tif 000003
【図２】
2005244892.tif 000004
【図３】
2005244892.tif 000005
【図４】
2005244892.tif 000006
【図５】
2005244892.tif 000007
【図６】
2005244892.tif 000008
【図７】
2005244892.tif 000009